(57)【要約】      （修正有）【課題】所有者の好みに合わせてカスタマイズ可能であって、デザイン性の高い仏壇を提供する。【解決手段】本仏壇１は、内部に仏像や位牌等を収納する本体１０を備える仏壇１において、本体１０内に設置される電照パネル２０であって、内部にセットされる所望の画像が透明又は半透明のフィルムに印刷された画像フィルム２８に光を照射して、画像を際立たせて表示させる電照パネル２０を備える。該電照パネル２０は、光源と、該光源の光をパネル全体に拡散させる導光板と、該導光板との間に画像フィルム２８を挟んで保持するための透明又は半透明の表面板２１とを備える。【選択図】図１
0003169507.tif 000002
【実用新案登録請求の範囲】
【請求項１】
内部に仏像や位牌等を収納する本体を備える仏壇において、
前記本体内に設置される電照パネルであって、内部にセットされる所望の画像が透明又は半透明のフィルムに印刷された画像フィルムに光を照射して、前記画像を際立たせて表示させる電照パネルを備えることを特徴とする仏壇。
【請求項２】
前記電照パネルは、光源と、前記光源の光をパネル全体に拡散させる導光板と、前記導光板との間に前記画像フィルムを挟んで保持するための透明又は半透明の表面板と、を備えることを特徴とする請求項１記載の仏壇。
【考案の詳細な説明】
【技術分野】
【０００１】
本考案は、内部に位牌や仏像等を納めることのできる仏壇に関する。
【背景技術】
【０００２】
従来から、一般家庭等に常設しておく、位牌や仏像等を内部に納めるための仏壇が多数提供されている。ところで、近年の価値観やライフスタイルの多様化に伴い、従来からの伝統的な様式の仏壇だけではなく、カスタマイズ可能な多様なデザインの仏壇が求められるようになってきている。
【０００３】
このような要望に応えるべく、例えば、下記特許文献１，２には、写真や絵等を仏壇内に容易に設置可能に構成し、所有者の好みに合わせて写真や絵等によるカスタマイズが可能な仏壇が開示されている。
【先行技術文献】
【特許文献】
【０００４】
【特許文献１】登録実用新案第３０９７７４３号公報
【特許文献２】特開平１１−２６７００３号公報
【考案の概要】
【考案が解決しようとする課題】
【０００５】
しかし、上記特許文献１，２に開示された仏壇では、絵や写真等をそのまま仏壇内に展示するだけであり、デザイン性に欠ける。
【０００６】
本考案は、上記課題を解決するためになされたものであり、所有者の好みに合わせてカスタマイズ可能であって、デザイン性の高い仏壇を提供することを目的とする。
【課題を解決するための手段】
【０００７】
上記課題を解決するために、本考案に係る仏壇は、内部に仏像や位牌等を収納する本体を備える仏壇において、前記本体内に設置される電照パネルであって、内部にセットされる所望の画像が透明又は半透明のフィルムに印刷された画像フィルムに光を照射して、前記画像を際立たせて表示させる電照パネルを備えることを特徴とする。
【考案の効果】
【０００８】
本考案に係る仏壇によれば、所有者の好みに応じてカスタマイズすることが可能であると共に、高いデザイン性を実現することができる。
【図面の簡単な説明】
【０００９】
【図１】図１は、本発明の実施形態に係る仏壇の扉を開けた状態の正面図である。
【図２】図２は、本発明の実施形態に係る仏壇の扉を閉めた状態の正面図である。
【図３】図３は、本発明の実施形態に係る仏壇の扉を開けた状態の背面図である。
【図４】図４は、本発明の実施形態に係る仏壇の扉を開けた状態の平面図である。
【図５】図５は、図１のＡ−Ａ線による断面図である。
【図６】図６は、本発明の実施形態に係る電照パネルの構成を示す分解斜視図である。
【考案を実施するための形態】
【００１０】
以下、図面を参照しながら、本考案の実施形態について詳細に説明する。図１は、本実施形態に係る仏壇の扉を開けた状態の正面図、図２は、本実施形態に係る仏壇の扉を閉めた状態の正面図である。図３は、本実施形態に係る仏壇の扉を開けた状態の背面図、図４は、本実施形態に係る仏壇の扉を開けた状態の平面図である。図５は、図１のＡ−Ａ線による断面図である。図６は、本実施形態に係る電照パネルの構成を示す分解斜視図である。
【００１１】
図１等に示すように、仏壇１は、内部に位牌や仏像等を設置する本体１０、本体１０の背面部分に設置された電照パネル２０、本体の左右にそれぞれ取り付けられた一対の扉３０，４０、仏壇台５０を備える。本実施形態では、電照パネル２０に写真や絵等の画像が印刷された透明又は半透明の画像フィルムをセットして光を当てることで、仏壇１内にこの画像を際立たせて表示させることを特徴としている。
【００１２】
本体１０は、前面が開放されている直方体形状の木製箱であり、主として、背板１１、天板１２、左右の側板１３、底板１４から構成されている。底板１４の下面には、四本の脚１８が形成されており、本体１０は、脚１８を介して仏壇台５０の上に載置されている。
【００１３】
本体１０の背面部分には電照パネル２０が設置されており、背板１１は、この電照パネル２０の下側にのみ設置されている。したがって、扉３０，４０を開いた状態で正面から本体１０を見ると、電照パネル２０にセットされた画像を見ることができる。
【００１４】
本体１０の右側には、蝶番３５を介して扉３０が設置され、左側には、蝶番４５を介して扉４０が設置されており、両扉３０，４０の開閉により、本体１０の内部を外から見えるように開放したり、外から見えないように閉じたりすることができる。
【００１５】
図２及び図３に示すように、扉３０，４０の表側には、正方形領域が整列配置されており、色等の異なる二種類の正方形領域を交互に配することで市松模様を表すことが可能である。また、図４及び図５に示すように、扉３０，４０の内側にも内部空間が形成されており、載置板３２，４２の上に、仏像や写真立て等を載置することも可能である。
【００１６】
電照パネル２０は、図６に示すように、アクリル板２１、導光板２２、ＬＥＤ光源２３、固定用枠２５、ネジ２６を備えており、アクリル板２１と導光板２２との間に、写真や絵等の所望の画像が印刷された透明又は半透明の画像フィルム２８をセットして使用される。
【００１７】
アクリル板２１は、電照パネル２０の表面側から画像フィルム２８を導光板２２に押しつけて挟持するための表面板である。この表面板としては、アクリル樹脂以外の材料を用いても良いが、電照パネル２０の表面側からアクリル板２１越しに画像フィル２８の画像を見ることができるように、透明又は半透明の材料からなる板を用いる必要がある。
【００１８】
導光板２２は、導光板２２の上下端に設置されているＬＥＤ光源２３の光を内部において反射させながら板全体に拡散させ、画像フィルム２８全体を照らすための部材である。ＬＥＤ光源２３は、複数のＬＥＤ素子を備える光源であり、導光板２２の上下端にそれぞれ設置され、導光板２２の上下側端面を照らして、導光板２２内に光を入射させるよう機能する。
【００１９】
固定用枠２５は、電照パネル２０を本体１０に固定して設置するための金属製の固定部材であり、図１、図３及び図５に示すように、アクリル板２１を導光板２２に対して押圧固定するように、ネジ２６により、本体１０に対して固定される。固定用枠２５の四辺には、ネジ２６用のネジ穴が計八箇所に形成されている。
【００２０】
画像フィルム２８は、写真や絵等、仏壇の所有者が仏壇内に表示させたい所望の画像が印刷されたフィルムであり、裏側から照らされた光によって際立たせられた画像を正面から見られるように、画像フィルム２８は透明又は半透明のフィルムから形成される。
【００２１】
仏壇台５０は本体１０を載置するための木製の台であり、図１等に示すように、その幅は、左右の扉３０，４０を開いた状態の本体１０と扉３０，４０とを合わせた幅と、略同じ幅に構成されている。これにより、扉３０，４０を開いたときに、仏壇全体としてまとまりのあるお洒落な印象を観者に与えることができる。
【００２２】
以上、仏壇１について詳細に説明したが、本実施形態によれば、固定用枠２５を外し、所有者の好みに合わせて写真や絵等の画像が印刷された画像ファイル２８を交換することで、仏壇１をカスタマイズすることが可能であり、所有者の好みに合わせたデザインを仏壇に持たせることができる。
【００２３】
また、光の照射により透明又は半透明のアクリル板２１越しに画像を際立たせて表示することで、観者にお洒落な印象を与え、デザイン性の高い仏壇１を構成することができる。
【００２４】
以上、本実施形態について詳細に説明したが、本考案は上記実施形態に限定されるものではなく、本考案の主旨を逸脱しない範囲内で種々の変形が可能である。例えば、上述した仏壇を構成する各部材の形状等は適宜変更可能であるのは言うまでもない。
【００２５】
また、上記実施形態では、光源としてＬＥＤ光源を用いているが、蛍光灯等の他の光源を用いることもできる。
【符号の説明】
【００２６】
１          仏壇
１０        本体
１１        背板
２０        電照パネル
２１        アクリル板
２２        導光板
２３        ＬＥＤ光源
２５        固定用枠
２６        ネジ
２８        画像フィルム
３０，４０  扉
５０        仏壇台
【図１】
0003169507.tif 000003
【図２】
0003169507.tif 000004
【図３】
0003169507.tif 000005
【図４】
0003169507.tif 000006
【図５】
0003169507.tif 000007
【図６】
0003169507.tif 000008